(57)【要約】【課題】積層コア形成工数を大幅に削減可能となる止着済重合積層材を量産可能な積層コア形成用の積層材製造装置を提供すること。【解決手段】加工用フープ材１を搬送する搬送装置部２に切断装置部３が設けられ、搬送装置部２は、複数の供給部５から供給される複数の加工用フープ材１が整然と重ねられて重合フープ材１Ａとして搬送されるように構成され、搬送装置部２の切断装置部３より搬送方向上流側に、複数重ねて間欠搬送される重合フープ材１Ａを送り停止駆動時に溶接して重合止着する溶接電極部７が設けられていて、溶接電極部７で間欠搬送される重合フープ材１Ａが溶接された後、切断装置部３で切断されて止着済重合積層材40が形成されるように構成されている積層コア形成用の積層材製造装置。【選択図】図１
2020123694.tif 000002
【特許請求の範囲】
【請求項１】
加工用フープ材を搬送する搬送装置部に切断装置部が設けられており、この搬送装置部の間欠駆動により間欠搬送される加工用フープ材が前記切断装置部で次々と短冊状に切断されて積層コア形成用の積層材が製造される積層コア形成用の積層材製造装置であって、前記搬送装置部は、複数の供給部から供給される複数の前記加工用フープ材が重ねられて重合フープ材として搬送されるように構成され、この搬送装置部の前記切断装置部より搬送方向上流側に、前記重合フープ材を送り停止駆動時に溶接して重合止着する溶接電極部が設けられていて、この溶接電極部で間欠搬送される前記重合フープ材が溶接された後、前記切断装置部で切断されて止着済重合積層材が形成されるように構成されていることを特徴とする積層コア形成用の積層材製造装置。
【請求項２】
前記搬送装置部に、複数の前記加工用フープ材の搬送方向に対する横ズレを是正する是正ガイドが設けられ、この是正ガイドにより複数の加工用フープ材同志が整然と重ねられた前記重合フープ材となって間欠搬送されるように構成されていることを特徴とする請求項１記載の積層コア形成用の積層材製造装置。
【請求項３】
前記溶接電極部は、複数並設状態に設けられて、この複数の溶接電極部により間欠搬送される前記重合フープ材の複数箇所を同時に溶接して重合止着するように構成されていることを特徴とする請求項１，２のいずれか１項に記載の積層コア形成用の積層材製造装置。
【請求項４】
前記搬送装置部は、複数の前記供給部から供給される複数の前記加工用フープ材が上下に重ねられて重合フープ材として搬送されるように構成され、前記溶接電極部は、前記重合フープ材の上方若しくは下方に配設される正極と、重合フープ材の下方若しくは上方に配設される負極とから成ると共に、前記搬送装置部の間欠駆動に同期して正極若しくは負極を重合フープ材に対し接離駆動する溶接同期駆動制御部を備えて、この溶接同期駆動制御部により重合フープ材の送り駆動時には、重合フープ材から正極若しくは負極が離間し、重合フープ材の送り停止駆動時には、重合フープ材に正極若しくは負極が接近して、この正極と負極とに重合フープ材が挟み込まれて溶接されるように構成されていることを特徴とする請求項１〜３のいずれか１項に記載の積層コア形成用の積層材製造装置。
【発明の詳細な説明】
【技術分野】
【０００１】
本発明は、変圧器、リアクトル或いはモーターなどのコイル内に内挿される鉄芯（磁性ブロック）として用いられる積層コアを形成するための積層材を製造する積層コア形成用の積層材製造装置に関するものである。
【背景技術】
【０００２】
例えば、珪素鋼板などの短冊状の単板（積層材）を板厚方向に積み重ねて全体で略角柱形状となるように積層し、これを接着してブロック状の積層コア（図４参照）を製造するが、このような積層コアの主要部となる積層材を製造するための製造装置として、出願人は特開２０１３−２５２５９０号（特許文献１）を開発し特許出願している。
【０００３】
この特許文献１を簡単に説明すると、フープ材を間欠搬送する搬送装置部に切断装置部が設けられて、フープ材を次々と短冊状に切断し切断片を積層状態に排出部に排出して行き積層コア形成用の積層材を製造するように構成されている。
【先行技術文献】
【特許文献】
【０００４】
【特許文献１】特開２０１３−２５２５９０号公報
【発明の概要】
【発明が解決しようとする課題】
【０００５】
積層コア（鉄芯）が内挿される変圧器、リアクトル或いはモーターは、大幅な省エネ，高効率化を実現するアモルファス金属などの板厚２５μｍほどの極薄板が積層材として採用されることが多くなってきている。
【０００６】
しかしながら、このような極薄の積層材は、パーツフィーダーで整列することが極めて困難であるから手作業に頼らざるを得ず、積層コアの形成にはこの極薄板（積層材）を数百枚から数千枚も整列させて積層する必要があるので、工数の増大が大きな課題となっていた。
【０００７】
本発明は、このような問題点に注目し、これを解決しようとするもので、パーツフィーダーを用いて自動的に整列させることが可能であると共に、積層作業の工数も大幅に削減できる止着済重合積層材を量産可能な積層コア形成用の積層材製造装置を提供するものである。
【課題を解決するための手段】
【０００８】
添付図面を参照して本発明の要旨を説明する。
【０００９】
加工用フープ材１を搬送する搬送装置部２に切断装置部３が設けられており、この搬送装置部２の間欠駆動により間欠搬送される加工用フープ材１が前記切断装置部３で次々と短冊状に切断されて積層コアＡ形成用の積層材４が製造される積層コア形成用の積層材製造装置であって、前記搬送装置部２は、複数の供給部５から供給される複数の前記加工用フープ材１が重ねられて重合フープ材１Ａとして搬送されるように構成され、この搬送装置部２の前記切断装置部３より搬送方向上流側に、前記重合フープ材１Ａを送り停止駆動時に溶接して重合止着する溶接電極部７が設けられていて、この溶接電極部７で間欠搬送される前記重合フープ材１Ａが溶接された後、前記切断装置部３で切断されて止着済重合積層材40が形成されるように構成されていることを特徴とする積層コア形成用の積層材製造装置に係るものである。
【００１０】
また、前記搬送装置部２に、複数の前記加工用フープ材１の搬送方向に対する横ズレを是正する是正ガイド８が設けられ、この是正ガイド８により複数の加工用フープ材１同志が整然と重ねられた前記重合フープ材１Ａとなって間欠搬送されるように構成されていることを特徴とする請求項１記載の積層コア形成用の積層材製造装置に係るものである。
【００１１】
また、前記溶接電極部７は、複数並設状態に設けられて、この複数の溶接電極部７により間欠搬送される前記重合フープ材１Ａの複数箇所を同時に溶接して重合止着するように構成されていることを特徴とする請求項１，２のいずれか１項に記載の積層コア形成用の積層材製造装置に係るものである。
【００１２】
また、前記搬送装置部２は、複数の前記供給部５から供給される複数の前記加工用フープ材１が上下に重ねられて重合フープ材１Ａとして搬送されるように構成され、前記溶接電極部７は、前記重合フープ材１Ａの上方若しくは下方に配設される正極７Ａと、重合フープ材１Ａの下方若しくは上方に配設される負極７Ｂとから成ると共に、前記搬送装置部２の間欠駆動に同期して正極７Ａ若しくは負極７Ｂを重合フープ材１Ａに対し接離駆動する溶接同期駆動制御部を備えて、この溶接同期駆動制御部により重合フープ材１Ａの送り駆動時には、重合フープ材１Ａから正極７Ａ若しくは負極７Ｂが離間し、重合フープ材１Ａの送り停止駆動時には、重合フープ材１Ａに正極７Ａ若しくは負極７Ｂが接近して、この正極７Ａと負極７Ｂとに重合フープ材１Ａが挟み込まれて溶接されるように構成されていることを特徴とする請求項１〜３のいずれか１項に記載の積層コア形成用の積層材製造装置に係るものである。
【発明の効果】
【００１３】
本発明は上述のように構成したから、複数の短冊状の積層材が重合止着された止着済重合積層材を量産できる極めて実用性に優れた積層コア形成用の積層材製造装置となる。
【００１４】
そして、本装置で製造した止着済重合積層材によれば、積層材複数枚分の厚みがあるので、取扱い容易でパーツフィーダーを使用して自動整列させることも可能であると共に、この止着済重合積層材を積層して所定の寸法の積層コアを形成する際には、積層作業の工数が大幅に削減するので、これまでに比して積層コア形成作業が著しく簡易化することになる。
【００１５】
また、請求項２記載の発明においては、複数の短冊状の積層材が整然と重ねられて止着された厚みのある止着済重合積層材を量産できる一層実用性に優れた構成の積層コア形成用の積層材製造装置となる。
【００１６】
また、請求項３記載の発明においては、確固に重合止着された取扱い容易な止着済重合積層材を量産可能となる一層実用性に優れた構成の積層コア形成用の積層材製造装置となる。
【００１７】
また、請求項４記載の発明においては、複数の加工用フープ材を確実に溶接して重合止着できる溶接用電極部を備えた装置構成を簡易に設計実現可能となる一層実用性に優れた構成の積層コア形成用の積層材製造装置となる。
【図面の簡単な説明】
【００１８】
【図１】本実施例を示す概略説明斜視図である。
【図２】本実施例の溶接電極部を示す説明正面図である。
【図３】本実施例で製造した止着済重合積層材を積層して積層コアを形成しようとする様子を示す説明斜視図である。
【図４】本実施例で製造した止着済重合積層材を用いて形成された積層コアを示す説明斜視図である。
【発明を実施するための形態】
【００１９】
好適と考える本発明の実施形態を、図面に基づいて本発明の作用を示して簡単に説明する。
【００２０】
複数の供給部５から加工用フープ材１が搬送装置部２に供給され、この複数の加工用フープ材１が重ねられ重合フープ材１Ａとなって搬送装置部２の間欠駆動により切断装置部３へと間欠搬送される。
【００２１】
また、間欠搬送されるこの重合フープ材１Ａは、送り停止駆動時に、前記切断装置部３より搬送方向上流側に設けられている溶接電極部７で次々と溶接されて重合止着され、その後に前記切断装置部３へと搬送されて次々と切断されて、複数の短冊状の積層材４が溶接により重合止着された止着済重合積層材40が製造（量産）される。
【００２２】
本発明の積層コア形成用の積層材製造装置で形成された前記止着済重合積層材40は、積層材４複数枚分の厚みがあるので、取扱い容易で例えばパーツフィーダーを使用して自動整列させることも可能となる。
【００２３】
また、この止着済重合積層材40を積層して所定の寸法の積層コアＡを形成する際には、止着済重合積層材40の厚みが積層材４複数枚分であるから、積層作業の工数が大幅に削減することになる。
【実施例】
【００２４】
本発明の具体的な実施例について図面に基づいて説明する。
【００２５】
本実施例は、例えば帯状のアモルファス金属板を巻回した加工材供給ロール５（供給部５）から引き出される加工用フープ材１を搬送する搬送装置部２が設けられ、この搬送装置部２の搬送方向先端側に切断装置部３が設けられていて、搬送装置部２から搬送される加工用フープ材１を切断装置部３で次々と短冊状に切断し、切断片（積層材４）を切断装置部３に隣接した排出受部である排出部９に落下排出してこの排出部９に積層コアＡ製造用の積層材４が積層されていくように構成されている。
【００２６】
また、本実施例の前記搬送装置部２は、図１に示すように、前記加工材供給ロール５から加工用フープ材１を引き出して送り駆動する加工材送りローラ10と，この加工材送りローラ10と上下対向当接状態に設けられ加工材送りローラ10により搬送される前記加工用フープ材１をガイドして水平搬送する加工材支承ローラ11とで構成される搬送駆動部12と、この搬送駆動部12より搬送方向上流側に、加工用フープ材１の搬送方向に間隔を置いて複数（図面は二箇所）設置され前記加工材供給ロール５から引き出された加工用フープ材１を水平に支持しつつ搬送する加工材受台13とを備え、前記搬送駆動部12（の加工材送りローラ10）を間欠駆動して加工用フープ材１を間欠搬送しつつ、搬送駆動部12より搬送方向下流側に設けられている前記切断装置部３で順次切断して行くように構成されている。
【００２７】
また、この搬送装置部２は、複数の供給部５（加工材供給ロール５）から供給される複数の板厚２５μｍの前記加工用フープ材１が整然と重ねられて搬送されるように構成されている。
【００２８】
具体的には、本実施例では、加工材供給ロール５が搬送装置部２の供給側端部の外方に上下三段配設され、この上下三段の各加工材供給ロール５から供給される三枚の前記加工用フープ材１が前記搬送駆動部12によって間欠搬送されて、搬送装置部２の供給側端部付近に設置されている前記加工材受台13上で重ねられ重合フープ材１Ａとなるように構成されている。
【００２９】
また、本実施例は、前記搬送装置部２に、複数の前記加工用フープ材１の搬送方向に対する横ズレを是正する是正ガイド８が設けられ、この是正ガイド８により複数の加工用フープ材１同志が上下に整然と重ねられた重合フープ材１Ａとなって間欠搬送されるように構成されている。
【００３０】
具体的には、搬送装置部２の前記各加工材受台13上に、加工用フープ材１の横幅寸法（搬送方向と直交する方向の幅寸法）と同等の左右対向間隔を置いて円柱状の前記是正ガイド８が立設状態に設けられ、この左右の是正ガイド８間を重合フープ材１Ａが搬送されることで、この重合フープ材１Ａを構成する三枚の加工用フープ材１同志の搬送方向に対する横ズレが是正されて上下に整然と重ねられるように構成されている（図２参照）。
【００３１】
また、本実施例では、前記搬送装置部２の前記切断装置部３より搬送方向上流側に、間欠搬送される前記重合フープ材１Ａを送り停止駆動時に溶接して重合止着するスポット溶接機の溶接電極部７が設けられていて、この溶接電極部７で重合フープ材１Ａが溶接された後、前記切断装置部３で切断されて、図３に示すような複数枚（図面は三枚）の積層材４の積層体である板厚７５μｍの止着済重合積層材40が形成されるように構成されている。
【００３２】
具体的には、搬送装置部２の搬送方向下流側に存する前記加工材受台13に、溶接電極部７の負極７Ｂが埋設状態に配設され、この負極７Ｂの存する加工材受台13と上下対設状態にして溶接電極部７の正極７Ａが配設されていて、この正極７Ａと負極７Ｂと間に重合フープ材１Ａが挟み込まれることで、重合フープ材１Ａを構成する複数の加工用フープ材１同志が溶接される（重合止着される）ように構成されている（図２参照）。
【００３３】
また、この溶接電極部７は、正極７Ａが昇降駆動するように構成されていると共に、前記搬送装置部２の間欠駆動に同期してこの正極７Ａを重合フープ材１Ａに対し昇降接離駆動させる図示省略の溶接同期駆動制御部を備えて、この溶接同期駆動制御部により重合フープ材１Ａの送り駆動時には、重合フープ材１Ａから正極７Ａが上昇離間し、重合フープ材１Ａの送り停止駆動時には、重合フープ材１Ａに正極７Ａが下降接近してこの正極７Ａが上方から重合フープ材１Ａを加圧し、この正極７Ａと負極７Ｂとに重合フープ材１Ａが挟み込まれて溶接されるように構成されている。
【００３４】
また、この溶接電極部７は、正極７Ａも負極７Ｂも重合フープ材１Ａの搬送方向と直交する方向に等間隔を置いて三箇所ずつ設けられ、これにより重合フープ材１Ａが同時に三箇所で溶接されて強固に重合止着されるように構成されている。図中符号20は溶接痕である。
【００３５】
尚、正極７Ａと負極７Ｂの位置関係は上下逆でも良い。また、負極７Ｂが接離駆動するように構成されていても良いし、正極７Ａと負極７Ｂの双方が接離駆動するように構成されていても良い。また、正極７Ａは、ペンシル形のものが採用されている場合を図示しているが、これに限定されるものではない。
【００３６】
本実施例の前記切断装置部３は、図１に示すように、前記搬送装置部２の搬送駆動部12（の加工材送りローラ10）の間欠駆動により間欠搬送される前記重合フープ材１Ａの先端部分を支承する加工材支承部14と、この加工材支承部14の端縁部から搬送方向に水平に突出する重合フープ材１Ａの送り突出先端部分を切断する可動切断刃15とから成り、加工材支承部14の端縁部と可動切断刃15下部の刃縁とをすれ違い可動させることで、この加工材支承部14から突出している重合フープ材１Ａの送り突出先端部分を間欠搬送毎に次々と切断するように構成されている。
【００３７】
即ち、加工材支承部14に対して上下方向に可動自在に設けられた可動切断刃15が、図示省略の切断用昇降駆動装置により下降駆動して重合フープ材１をＡ切断するように構成され、前記搬送駆動部12（の加工材送りローラ10）の間欠駆動により間欠搬送する重合フープ材１Ａの先端部は、切断毎に前記加工材支承部14の端縁部から水平に送り突出され、この加工材支承部14からの送り突出先端部分が可動切断刃15の下動により順次切断されて短冊状の止着済重合積層材40が形成され、この止着済重合積層材40は排出部９上に落下排出し積層されるように構成されている。
【００３８】
また、本実施例は、前記加工材送りローラ10を含む搬送駆動部12が、前記切断装置部３の搬送方向上流側であって、且つ前記加工用フープ材１の歪み若しくは自重によるたわみによる送り誤差が許容誤差範囲内となる切断装置部３の近接位置に配設されている。
【００３９】
また、本実施例では、加工材送りローラ10を間欠駆動する回動駆動源16の回動量が、送りローラ制御部17によりプログラム制御可能な構成とされ（前記加工用フープ材１の送り量を可変制御な構成とされ）、これにより加工用フープ材１の切断幅を調整制御可能に構成されている。
【００４０】
また、詳しく図示していないが、前記排出部９が上下動自在に構成され、この排出部９を下降制御する図示省略の排出部下降装置が設けられて、この排出部９上に積層されて行く前記止着済重合積層材40の積層高さの増大に伴って排出部９が徐々に下降するように構成されている。
【００４１】
即ち、排出部下降装置を備えることで、止着済重合積層材40を常に適度な落差で排出部９上に落下させることができ、自重による良好な自動積層を実現でき、積層高さの増大に応じて順次下降させてこの適度な落差を保持することで、落下衝撃による止着済重合積層材40の回転や方向の乱れを可及的に防止でき、これにより次工程での整列作業が手作業であっても容易に行われるように構成されている。
【００４２】
また、本実施例では、前記加工材支承部14に対して前記可動切断刃15が上下動自在に設けられ、この可動切断刃15を下降させて前記加工材支承部14から搬送方向に水平突出する前記重合フープ材１Ａの送り突出部分を切断する際、重合フープ材１Ａを加工材支承部14に押さえ付ける押さえ付け部18が、重合フープ材１Ａ上方に昇降接離自在に設けられている。
【００４３】
具体的には、図１に示すように、重合フープ材１Ａの上方に板状の押さえ付け部18が上下動自在に設けられ、この押さえ付け部18を送りローラ制御部17による加工材送りローラ10の間欠駆動に同期させて下動させて、この押さえ付け部18により加工材支承部14へ重合フープ材１Ａを押圧保持して切断するように構成されている。
【００４４】
即ち、加工材送りローラ10がプログラム制御により重合フープ材１Ａを間欠搬送し、所望の切断幅だけ加工材支承部14より突出させ、これを可動切断刃15を下動して切断する毎に、このタイミングに合わせてその切断直前には板状の押さえ付け部18も下動させて、板状の加工材支承部14に重合フープ材１Ａをこの押さえ付け部18で押さえ付けた状態として切断し、切断後再び離反し、加工材送りローラ10による間欠搬送を再び行うように構成されて、止着済重合積層材40の切断幅の寸法精度が高まるように構成されている（高い寸法精度の止着済重合積層材40（積層コアＡ）を得ることができるように構成されている。）。
【００４５】
尚、本実施例の切断装置部３は、切断刃（可動切断刃15）による切断構造を採用した場合を示しているが、打ち抜き加工によって止着済重合積層材40が切断される構成が採用されていても良い。
【００４６】
以上のように構成されている本実施例の製造装置で製造した板厚７５μｍの止着済重合積層材40は、板厚２５μｍの極薄な積層材４に比して取扱い容易であり、パーツフィーダーで整列することも可能である。
【００４７】
また、この止着済重合積層材40を積層して所定の寸法の積層コアＡを形成する際には、止着済重合積層材40が積層材４複数枚分の厚みを有していることによって、積層作業の工数が大幅に削減することになる（図３，図４参照）。
【００４８】
尚、本発明は、本実施例に限られるものではなく、各構成要件の具体的構成は適宜設計し得るものである。
【符号の説明】
【００４９】
１  加工用フープ材
１Ａ  重合フープ材
２  搬送装置部
３  切断装置部
４  積層材
５  供給部
７  溶接電極部
７Ａ  正極
７Ｂ  負極
８  是正ガイド
40  止着済重合積層材
Ａ  積層コア
【図１】
2020123694.tif 000003
【図２】
2020123694.tif 000004
【図３】
2020123694.tif 000005
【図４】
2020123694.tif 000006